(57)【特許請求の範囲】
【請求項１】
第１面に配置された複数のグランド線と、
前記複数のグランド線の間に設けられるとともに、前記第１面に配置された第１信号線対及び第２信号線対と、
前記複数のグランド線、前記第１信号線対及び前記第２信号線対を覆う絶縁層と、
前記絶縁層を覆うシールド層と、
を有し、
長手方向に垂直な断面において、
前記第１信号線対は、
第１信号線と、
前記第１信号線と隣り合う第２信号線と、
を含み、
前記第２信号線対は、
第３信号線と、
前記第３信号線と隣り合う第４信号線と、
を含み、
前記複数のグランド線は、前記第２信号線と前記第３信号線とに挟まれる第１グランド線を含み、
前記第１信号線と前記第２信号線との間の最短距離は、前記第２信号線と前記第１グランド線との間の最短距離よりも小さく、
前記第３信号線と前記第４信号線との間の最短距離は、前記第３信号線と前記第１グランド線との間の最短距離よりも小さいシールドフラットケーブル。
【請求項２】
前記断面において、
前記第１信号線と前記第２信号線との間の中心間距離は、前記第２信号線と前記第１グランド線との間の中心間距離よりも小さく、
前記第３信号線と前記第４信号線との間の中心間距離は、前記第３信号線と前記第１グランド線との間の中心間距離よりも小さい請求項１に記載のシールドフラットケーブル。
【請求項３】
前記断面において、
前記第１信号線と前記第２信号線との間の中心間距離は、前記第２信号線と前記第１グランド線との間の中心間距離と等しく、
前記第３信号線と前記第４信号線との間の中心間距離は、前記第３信号線と前記第１グランド線との間の中心間距離と等しい請求項１に記載のシールドフラットケーブル。
【請求項４】
前記絶縁層は内面において、前記第１信号線、前記第２信号線、前記第３信号線、前記第４信号線及び前記第１グランド線のそれぞれの全面と接するように設けられる請求項１から請求項３のいずれか１項に記載のシールドフラットケーブル。
【請求項５】
前記第１信号線、前記第２信号線、前記第３信号線及び前記第４信号線は丸型導体であり、
前記複数のグランド線は平角導体である請求項１から請求項４のいずれか１項に記載のシールドフラットケーブル。
【請求項６】
前記断面において、
前記第１グランド線の前記第１面に沿う方向の最大寸法が、前記第２信号線の前記第１面に沿う方向の最大寸法よりも小さく、
前記第１グランド線の前記第１面に沿う方向の最大寸法が、前記第３信号線の前記第１面に沿う方向の最大寸法よりも小さい請求項１から請求項５のいずれか１項に記載のシールドフラットケーブル。
【請求項７】
前記断面において、
前記第１グランド線の断面積が前記第２信号線の断面積よりも小さく、
前記第１グランド線の断面積が前記第３信号線の断面積よりも小さい請求項１から請求項６のいずれか１項に記載のシールドフラットケーブル。
【発明の詳細な説明】
【技術分野】
【０００１】
本開示は、シールドフラットケーブルに関する。【０００２】
本出願は、２０２０年７月２日出願の日本出願第２０２０−１１４５８６号に基づく優先権を主張し、前記日本出願に記載された全ての記載内容を援用するものである。
【背景技術】
【０００３】
差動信号の高速伝送に用いられるケーブルとしてシールドフラットケーブルが知られている。シールドフラットケーブルでは、例えば、２本のグランド線の間に、作動信号が伝送される２本の信号線が配置されることがある（例えば特許文献１）。
【先行技術文献】
【特許文献】
【０００４】
【特許文献１】日本国特開２０１９−２０７８３５号公報
【発明の概要】
【０００５】
本開示のシールドフラットケーブルは、第１面に配置された複数のグランド線と、前記複数のグランド線の間に設けられるとともに、前記第１面に配置された一対の信号線と、前記複数のグランド線及び前記一対の信号線を覆う絶縁層と、前記絶縁層を覆うシールド層と、を有し、長手方向に垂直な断面において、前記複数のグランド線は、前記一対の信号線のうちの一方の信号線と隣り合うグランド線を含み、前記一対の信号線の間の最短距離が、前記隣り合うグランド線と前記一方の信号線との間の最短距離よりも小さい。
【図面の簡単な説明】
【０００６】
【図１】図１は、第１実施形態に係るシールドフラットケーブルを示す平面図である。
【図２】図２は、第１実施形態に係るシールドフラットケーブルを示す断面図である。
【図３】図３は、第２実施形態に係るシールドフラットケーブルを示す断面図である。
【図４】図４は、第３実施形態に係るシールドフラットケーブルを示す断面図である。
【図５】図５は、第４実施形態に係るシールドフラットケーブルを示す断面図である。
【発明を実施するための形態】
【０００７】
［本開示が解決しようとする課題］
特許文献１に記載のシールドフラットケーブルによれば所期の目的は達成できるものの、信号の更なる高周波化に伴ってクロストークが生じるおそれがある。
【０００８】
本開示は、クロストークをより低減できるシールドフラットケーブルを提供することを目的とする。
【０００９】
［本開示の効果］
本開示によれば、クロストークをより低減できる。
【００１０】
実施するための形態について、以下に説明する。
【００１１】
［本開示の実施形態の説明］
最初に本開示の実施態様を列記して説明する。
【００１２】
〔１〕  本開示の一態様に係るシールドフラットケーブルは、第１面に配置された複数のグランド線と、前記複数のグランド線の間に設けられるとともに、前記第１面に配置された一対の信号線と、前記複数のグランド線及び前記一対の信号線を覆う絶縁層と、前記絶縁層を覆うシールド層と、を有し、長手方向に垂直な断面において、前記複数のグランド線は、前記一対の信号線のうちの一方の信号線と隣り合うグランド線を含み、前記一対の信号線の間の最短距離が、前記隣り合うグランド線と前記一方の信号線との間の最短距離よりも小さい。
【００１３】
長手方向に垂直な断面において、一対の信号線の間の最短距離が、一対の信号線のうちの一方の信号線と隣り合うグランド線と当該一方の信号線との間の最短距離よりも小さい。このため、隣り合うグランド線と当該一方の信号線との間の容量を低減し、容量性ノイズに起因するクロストークを低減できる。
【００１４】
〔２〕  〔１〕において、前記断面において、前記隣り合うグランド線の前記第１面に平行な方向の最大寸法が、前記一方の信号線の前記第１面に平行な方向の最大寸法よりも小さくてもよい。この場合、クロストークをより低減しやすい。
【００１５】
〔３〕  〔１〕又は〔２〕において、前記断面において、前記一対の信号線の中心間距離が、前記隣り合うグランド線と前記一方の信号線との中心間距離よりも小さくてもよい。この場合、クロストークをより低減しやすい。
【００１６】
〔４〕  〔１〕〜〔３〕において、前記断面において、前記隣り合うグランド線の断面積が前記一方の信号線の断面積よりも小さくてもよい。この場合、クロストークをより低減しやすい。
【００１７】
〔５〕  本開示の他の一態様に係るシールドフラットケーブルは、第１面に配置された第１グランド線、第２グランド線及び第３グランド線と、前記第１グランド線と前記第２グランド線との間に設けられるとともに、前記第１面に配置された一対の第１信号線及び第２信号線と、前記第２グランド線と前記第３グランド線との間に設けられるとともに、前記第１面に配置された一対の第３信号線及び第４信号線と、前記第１グランド線、前記第２グランド線、前記第３グランド線、前記第１信号線、前記第２信号線、前記第３信号線及び前記第４信号線を覆う絶縁層と、前記絶縁層を覆うシールド層と、を有し、前記第２信号線は、前記第１信号線よりも前記第２グランド線に近く配置され、前記第４信号線は、前記第３信号線よりも前記第３グランド線に近く配置され、長手方向に垂直な断面において、前記第１信号線と前記第２信号線との間の最短距離が、前記第１グランド線と前記第１信号線との間の最短距離及び前記第２グランド線と前記第２信号線との間の最短距離よりも小さく、前記第３信号線と前記第４信号線との間の最短距離が、前記第２グランド線と前記第３信号線との間の最短距離及び前記第３グランド線と前記第４信号線との間の最短距離よりも小さく、前記第１グランド線、前記第２グランド線及び前記第３グランド線の各々の前記第１面に平行な方向の最大寸法が、前記第１信号線、前記第２信号線、前記第３信号線及び前記第４信号線の各々の前記第１面に平行な方向の最大寸法よりも小さく、前記第１信号線と前記第２信号線との中心間距離が、前記第１グランド線と前記第１信号線との中心間距離及び前記第２グランド線と前記第２信号線との中心間距離よりも小さく、前記第３信号線と前記第４信号線との中心間距離が、前記第２グランド線と前記第３信号線との中心間距離及び前記第３グランド線と前記第４信号線との中心間距離よりも小さい。
【００１８】
第１グランド線と第１信号線との間の容量、第２グランド線と第２信号線との間の容量、第２グランド線と第３信号線との間の容量、及び第３グランド線と第４信号線との間の容量を低減し、容量性ノイズに起因するクロストークを低減できる。
【００１９】
［本開示の実施形態の詳細］
以下、本開示の実施形態について詳細に説明するが、本実施形態はこれらに限定されるものではない。なお、本明細書及び図面において、実質的に同一の機能構成を有する構成要素については、同一の符号を付することにより重複した説明を省くことがある。各図には、説明の便宜のためＸＹＺ直交座標系が設定されている。
【００２０】
（第１実施形態）
第１実施形態について説明する。図１は、第１実施形態に係るシールドフラットケーブルを示す平面図である。図２は、第１実施形態に係るシールドフラットケーブルを示す断面図である。図２は、図１中のII−II線に沿った断面図である。
【００２１】
図１及び図２に示すように、第１実施形態に係るシールドフラットケーブル１００は、ＸＹ平面に平行な第１面１０１に沿って配置された複数のグランド線１１０を有する。シールドフラットケーブル１００は、更に、第１面１０１においてグランド線１１０の間にグランド線１１０に沿って配置された複数の信号線１２０を有する。グランド線１１０及び信号線１２０は、例えばＸ軸方向に延びる。シールドフラットケーブル１００は、例えば、３本のグランド線１１０と、４本の信号線１２０とを含む。グランド線１１０及び信号線１２０は、例えば、銅箔、錫メッキ軟銅箔等の金属からなる。
【００２２】
３本のグランド線１１０は、第１グランド線１１１と、第２グランド線１１２と、第３グランド線１１３とを含む。第２グランド線１１２が第１グランド線１１１の＋Ｙ側に配置され、第３グランド線１１３が第２グランド線１１２の＋Ｙ側に配置されている。すなわち、Ｙ軸方向において、第２グランド線１１２が第１グランド線１１１と第３グランド線１１３との間に配置されている。
【００２３】
４本の信号線１２０は、第１信号線１２１と、第２信号線１２２と、第３信号線１２３と、第４信号線１２４とを含む。第１信号線１２１及び第２信号線１２２は、Ｙ軸方向において、第１グランド線１１１と第２グランド線１１２との間に配置されている。第２信号線１２２は第１信号線１２１の＋Ｙ側に配置されている。従って、第１信号線１２１と第１グランド線１１１とが隣り合い、第２信号線１２２と第２グランド線１１２とが隣り合う。第３信号線１２３及び第４信号線１２４は、Ｙ軸方向において、第２グランド線１１２と第３グランド線１１３との間に配置されている。第４信号線１２４は第３信号線１２３の＋Ｙ側に配置されている。従って、第３信号線１２３と第２グランド線１１２とが隣り合い、第４信号線１２４と第３グランド線１１３とが隣り合う。第１信号線１２１及び第２信号線１２２の第１信号線対１２６が第１差動信号の伝送に用いられ、第３信号線１２３及び第４信号線１２４の第２信号線対１２７が第２差動信号の伝送に用いられる。
【００２４】
シールドフラットケーブル１００は、第１面１０１を挟み、グランド線１１０及び信号線１２０を覆う絶縁層１３０を有する。例えば、絶縁層１３０は、第１面１０１の−Ｚ側の第１絶縁層１３１と、第１面１０１の＋Ｚ側の第２絶縁層１３２とを有する。第１絶縁層１３１は、第１面１０１とは反対側に第２面１３１Ａを備える。第２絶縁層１３２は、第１面１０１とは反対側に第２面１３２Ａを備える。第２面１３１Ａ及び１３２Ａは外面の一例である。
【００２５】
シールドフラットケーブル１００は、絶縁層１３０を覆うシールド層１４０を有する。シールド層１４０は、第１絶縁層１３１の第２面１３１Ａを覆う第１シールド層１４１と、第２絶縁層１３２の第２面１３２Ａを覆う第２シールド層１４２とを有する。第１シールド層１４１又は第２シールド層１４２の一方が設けられていれば、シールドフラットケーブル１００の柔軟性を向上させるために、他方が設けられていなくてもよい。第１シールド層１４１及び第２シールド層１４２が、絶縁層１３０のＺＸ平面に平行な側面を更に覆っていてもよい。
【００２６】
例えば、グランド線１１０及び信号線１２０は平角導体であり、シールドフラットケーブル１００の長手方向に垂直な断面（図２に示す断面）におけるグランド線１１０及び信号線１２０の形状は、長方形である。図２に示す断面において、例えば、グランド線１１０及び信号線１２０の厚さ（Ｚ軸方向の寸法）は、０．０１ｍｍ以上０．１０ｍｍ以下である。
【００２７】
第１グランド線１１１は、−Ｙ側の側面１１１Ａと＋Ｙ側の側面１１１Ｂとを備える。第２グランド線１１２は、−Ｙ側の側面１１２Ａと＋Ｙ側の側面１１２Ｂとを備える。第３グランド線１１３は、−Ｙ側の側面１１３Ａと＋Ｙ側の側面１１３Ｂとを備える。第１信号線１２１は、−Ｙ側の側面１２１Ａと＋Ｙ側の側面１２１Ｂとを備える。第２信号線１２２は、−Ｙ側の側面１２２Ａと＋Ｙ側の側面１２２Ｂとを備える。第３信号線１２３は、−Ｙ側の側面１２３Ａと＋Ｙ側の側面１２３Ｂとを備える。第４信号線１２４は、−Ｙ側の側面１２４Ａと＋Ｙ側の側面１２４Ｂとを備える。
【００２８】
図２に示す断面において、第１グランド線１１１の幅と、第２グランド線１１２の幅と、第３グランド線１１３の幅とは互いに等しく、幅Ｗｇである。第１グランド線１１１の幅は側面１１１Ａと側面１１１Ｂとの間の距離であり、第２グランド線１１２の幅は側面１１２Ａと側面１１２Ｂとの間の距離であり、第３グランド線１１３の幅は側面１１３Ａと側面１１３Ｂとの間の距離である。図２に示す断面において、第１信号線１２１の幅と、第２信号線１２２の幅と、第３信号線１２３の幅と、第４信号線１２４の幅とは互いに等しく、幅Ｗｓである。第１信号線１２１の幅は側面１２１Ａと側面１２１Ｂとの間の距離であり、第２信号線１２２の幅は側面１２２Ａと側面１２２Ｂとの間の距離であり、第３信号線１２３の幅は側面１２３Ａと側面１２３Ｂとの間の距離であり、第４信号線１２４の幅は側面１２４Ａと側面１２４Ｂとの間の距離である。例えば、グランド線１１０の幅Ｗｇは０．１０ｍｍ以上０．２０ｍｍ以下であり、信号線１２０の幅Ｗｓは０．２０ｍｍ以上０．３０ｍｍ以下であり、幅Ｗｇが幅Ｗｓよりも小さい。つまり、図２に示す断面において、グランド線１１０の第１面１０１に沿う方向（Ｙ軸方向）の最大寸法が、信号線１２０の第１面１０１に沿う方向（Ｙ軸方向）の最大寸法よりも小さい。また、図２に示す断面において、グランド線１１０の断面積が信号線１２０の断面積よりも小さい。
【００２９】
図２に示す断面において、第１信号線１２１の側面１２１Ｂと第２信号線１２２の側面１２２Ａとの間の距離と、第３信号線１２３の側面１２３Ｂと第４信号線１２４の側面１２４Ａとの間の距離とは互いに等しく、距離Ｌ１ｓｓである。図２に示す断面において、第１グランド線１１１の側面１１１Ｂと第１信号線１２１の側面１２１Ａとの間の距離と、第２グランド線１１２の側面１１２Ａと第２信号線１２２の側面１２２Ｂとの間の距離と、第２グランド線１１２の側面１１２Ｂと第３信号線１２３の側面１２３Ａとの間の距離と、第３グランド線１１３の側面１１３Ａと第４信号線１２４の側面１２４Ｂとの間の距離とは互いに等しく、距離Ｌ１ｓｇである。例えば、距離Ｌ１ｓｓは０．２５ｍｍ以上０．４５ｍｍ以下であり、距離Ｌ１ｓｇは０．３５ｍｍ以上０．５５ｍｍ以下であり、距離Ｌ１ｓｓが距離Ｌ１ｓｇよりも小さい。つまり、図２に示す断面において、隣り合う２本の信号線１２０の間の最短距離（Ｙ軸方向の距離）が、隣り合うグランド線１１０と信号線１２０との間の最短距離（Ｙ軸方向の距離）よりも小さい。
【００３０】
図２に示す断面において、第１信号線１２１の中心と第２信号線１２２の中心との間の距離と、第３信号線１２３の中心と第４信号線１２４の中心との間の距離とは互いに等しく、距離Ｌ２ｓｓである。図２に示す断面において、第１グランド線１１１の中心と第１信号線１２１の中心との間の距離と、第２グランド線１１２の中心と第２信号線１２２の中心との間の距離と、第２グランド線１１２の中心と第３信号線１２３の中心との間の距離と、第３グランド線１１３の中心と第４信号線１２４の中心との間の距離とは互いに等しく、距離Ｌ２ｓｇである。例えば、距離Ｌ２ｓｓは０．５５ｍｍ以上０．６５ｍｍ以下であり、距離Ｌ２ｓｇは０．６０ｍｍ以上０．７０ｍｍ以下であり、距離Ｌ２ｓｓが距離Ｌ２ｓｇよりも小さい。つまり、図２に示す断面において、隣り合う２本の信号線１２０の間の中心間距離（Ｙ軸方向の距離）が、隣り合うグランド線１１０と信号線１２０との間の中心間距離（Ｙ軸方向の距離）よりも小さい。
【００３１】
グランド線１１０及び信号線１２０が絶縁層１３０により覆われているため、グランド線１１０及び信号線１２０の上記のような配列状態が保持される。
【００３２】
絶縁層１３０の材料としては、例えば、ポリエステル樹脂、ポリフェニレンサルファイド樹脂、ポリイミド樹脂等が挙げられる。ポリエステル樹脂としては、ポリエチレンテレフタレート樹脂、ポリエチレンナフタレート樹脂、ポリブチレンナフタレート樹脂等が挙げられる。なお、これらの樹脂のうち、電気的特性、機械的特性、コスト等の観点からは、ポリエチレンテレフタレート樹脂が好ましい。第１絶縁層１３１及び第２絶縁層１３２の厚さは、例えば、９μｍ以上１００μｍ以下である。
【００３３】
第１シールド層１４１及び第２シールド層１４２は、それぞれ、絶縁層１３０側から順に配置された接着層、樹脂層及び金属層を含む。金属層としては、例えば、アルミニウム箔が用いられる。樹脂層の材料としては、例えば、ポリエチレンテレフタレート、低誘電率ポリエチレン等が挙げられる。樹脂層が接着性を備える場合、接着層が含まれなくてもよい。第１シールド層１４１及び第２シールド層１４２の厚さは、例えば、３０μｍ以上９０μｍ以下である。
【００３４】
第１実施形態に係るシールドフラットケーブル１００では、距離Ｌ１ｓｓが距離Ｌ１ｓｇよりも小さい。このため、隣り合うグランド線１１０と信号線１２０との間の容量を低減し、容量性ノイズに起因するクロストークを低減できる。例えば、第１信号線対１２６を用いて伝送される第１差動信号と、第２信号線対１２７を用いて伝送される第２差動信号との間のクロストークを低減できる。
【００３５】
（第２実施形態）
第２実施形態について説明する。図３は、第２実施形態に係るシールドフラットケーブルを示す断面図である。第２実施形態は、主に信号線１２０の配置の点で第１実施形態と相違する。
【００３６】
図３に示すように、第２実施形態に係るシールドフラットケーブル２００では、距離Ｌ２ｓｓと距離Ｌ２ｓｇとが互いに等しい。その一方で、第１実施形態と同様に、距離Ｌ１ｓｓは距離Ｌ１ｓｇよりも小さく、幅Ｗｇは幅Ｗｓよりも小さく、グランド線１１０の断面積は信号線１２０の断面積よりも小さい。例えば、グランド線１１０の幅Ｗｇは０．１０ｍｍ以上０．２０ｍｍ以下であり、信号線１２０の幅Ｗｓは０．２０ｍｍ以上０．３０ｍｍ以下である。例えば、距離Ｌ１ｓｓは０．２５ｍｍ以上０．５０ｍｍ以下であり、距離Ｌ１ｓｇは０．３０ｍｍ以上０．５５ｍｍ以下である。例えば、距離Ｌ２ｓｓ及び距離Ｌ２ｓｇは０．５５ｍｍ以上０．７０ｍｍ以下である。
【００３７】
他の構成は第１実施形態と同様である。
【００３８】
第２実施形態に係るシールドフラットケーブル２００においても、距離Ｌ１ｓｓが距離Ｌ１ｓｇよりも小さい。このため、隣り合うグランド線１１０と信号線１２０との間の容量を低減し、容量性ノイズに起因するクロストークを低減できる。例えば、第１信号線対１２６を用いて伝送される第１差動信号と、第２信号線対１２７を用いて伝送される第２差動信号との間のクロストークを低減できる。
【００３９】
（第３実施形態）
第３実施形態について説明する。図４は、第３実施形態に係るシールドフラットケーブルを示す断面図である。第３実施形態は、主にグランド線及び信号線の断面形状の点で第１実施形態と相違する。
【００４０】
図４に示すように、第３実施形態に係るシールドフラットケーブル３００は、３本のグランド線１１０及び４本の信号線１２０に代えて、３本のグランド線３１０及び４本の信号線３２０を有する。
【００４１】
３本のグランド線３１０は、第１グランド線３１１と、第２グランド線３１２と、第３グランド線３１３とを含む。第２グランド線３１２が第１グランド線３１１の＋Ｙ側に配置され、第３グランド線３１３が第２グランド線３１２の＋Ｙ側に配置されている。すなわち、Ｙ軸方向において、第２グランド線３１２が第１グランド線３１１と第３グランド線３１３との間に配置されている。
【００４２】
４本の信号線３２０は、第１信号線３２１と、第２信号線３２２と、第３信号線３２３と、第４信号線３２４とを含む。第１信号線３２１及び第２信号線３２２は、Ｙ軸方向において、第１グランド線３１１と第２グランド線３１２との間に配置されている。第２信号線３２２は第１信号線３２１の＋Ｙ側に配置されている。従って、第１信号線３２１と第１グランド線３１１とが隣り合い、第２信号線３２２と第２グランド線３１２とが隣り合う。第３信号線３２３及び第４信号線３２４は、Ｙ軸方向において、第２グランド線３１２と第３グランド線３１３との間に配置されている。第４信号線３２４は第３信号線３２３の＋Ｙ側に配置されている。従って、第３信号線３２３と第２グランド線３１２とが隣り合い、第４信号線３２４と第３グランド線３１３とが隣り合う。第１信号線３２１及び第２信号線３２２の第１信号線対３２６が第１差動信号の伝送に用いられ、第３信号線３２３及び第４信号線３２４の第２信号線対３２７が第２差動信号の伝送に用いられる。
【００４３】
例えば、グランド線３１０及び信号線３２０は丸型導体であり、シールドフラットケーブル３００の長手方向に垂直な断面（図４に示す断面）におけるグランド線３１０及び信号線３２０の形状は、円である。図４に示す断面において、例えば、グランド線１１０の直径Ｄｇは、０．１０ｍｍ以上０．２０ｍｍ以下であり、信号線１２０の直径Ｄｓは、０．２０ｍｍ以上０．３０ｍｍ以下である。つまり、図４に示す断面において、グランド線３１０の第１面１０１に沿う方向（Ｙ軸方向）の最大寸法が、信号線３２０の第１面１０１に沿う方向（Ｙ軸方向）の最大寸法よりも小さい。また、図４に示す断面において、グランド線３１０の断面積が信号線３２０の断面積よりも小さい。
【００４４】
図４に示す断面において、第１信号線３２１と第２信号線３２２との間の最短距離と、第３信号線３２３と第４信号線３２４との間の最短距離とは互いに等しく、距離Ｌ１ｓｓである。図４に示す断面において、第１グランド線３１１と第１信号線３２１との間の最短距離と、第２グランド線３１２と第２信号線３２２との間の最短距離と、第２グランド線３１２と第３信号線３２３との間の最短距離と、第３グランド線３１３と第４信号線３２４との間の最短距離とは互いに等しく、距離Ｌ１ｓｇである。例えば、距離Ｌ１ｓｓは０．２５ｍｍ以上０．４５ｍｍ以下であり、距離Ｌ１ｓｇは０．３５ｍｍ以上０．５５ｍｍ以下であり、距離Ｌ１ｓｓが距離Ｌ１ｓｇよりも小さい。つまり、図４に示す断面において、隣り合う２本の信号線３２０の間の最短距離（Ｙ軸方向の距離）が、隣り合うグランド線３１０と信号線３２０との間の最短距離（Ｙ軸方向の距離）よりも小さい。
【００４５】
図４に示す断面において、第１信号線３２１の中心と第２信号線３２２の中心との間の距離と、第３信号線３２３の中心と第４信号線３２４の中心との間の距離とは互いに等しく、距離Ｌ２ｓｓである。図４に示す断面において、第１グランド線３１１の中心と第１信号線３２１の中心との間の距離と、第２グランド線３１２の中心と第２信号線３２２の中心との間の距離と、第２グランド線３１２の中心と第３信号線３２３の中心との間の距離と、第３グランド線３１３の中心と第４信号線３２４の中心との間の距離とは互いに等しく、距離Ｌ２ｓｇである。例えば、距離Ｌ２ｓｓは０．５５ｍｍ以上０．６５ｍｍ以下であり、距離Ｌ２ｓｇは０．６０ｍｍ以上０．７０ｍｍ以下であり、距離Ｌ２ｓｓが距離Ｌ２ｓｇよりも小さい。つまり、図４に示す断面において、隣り合う２本の信号線３２０の間の中心間距離（Ｙ軸方向の距離）が、隣り合うグランド線３１０と信号線３２０との間の中心間距離（Ｙ軸方向の距離）よりも小さい。
【００４６】
他の構成は第１実施形態と同様である。
【００４７】
第３実施形態に係るシールドフラットケーブル３００においても、距離Ｌ１ｓｓが距離Ｌ１ｓｇよりも小さい。このため、隣り合うグランド線３１０と信号線３２０との間の容量を低減し、容量性ノイズに起因するクロストークを低減できる。例えば、第１信号線対３２６を用いて伝送される第１差動信号と、第２信号線対３２７を用いて伝送される第２差動信号との間のクロストークを低減できる。
【００４８】
（第４実施形態）
第４実施形態について説明する。図５は、第４実施形態に係るシールドフラットケーブルを示す断面図である。第４実施形態は、主に信号線の断面形状の点で第１実施形態と相違する。
【００４９】
図５に示すように、第４実施形態に係るシールドフラットケーブル４００は、４本の信号線１２０に代えて、第３の実施形態に係るシールドフラットケーブル３００と同様の４本の信号線３２０を有する。４本の信号線３２０は、第１信号線３２１と、第２信号線３２２と、第３信号線３２３と、第４信号線３２４とを含む。第１信号線３２１、第２信号線３２２、第３信号線３２３及び第４信号線３２４の配置は第３実施形態と同様である。
【００５０】
他の構成は第１実施形態と同様である。
【００５１】
第４実施形態に係るシールドフラットケーブル４００においても、第１、第３実施形態と同様の効果が得られる。
【００５２】
図２〜図５に示す断面において、グランド線１１０、３１０の第１面１０１に沿う方向の最大寸法（幅Ｗｇ、直径Ｄｇ）が、信号線１２０、３２０の第１面１０１に沿う方向の最大寸法（幅Ｗｓ、直径Ｄｓ）よりも小さい場合、距離Ｌ１ｓｓを距離Ｌ１ｓｇよりも小さくしやすい。このため、クロストークをより低減しやすい。
【００５３】
図２〜図５に示す断面において、隣り合う２本の信号線１２０の間の中心間距離Ｌ２ｓｓが、隣り合うグランド線１１０と信号線１２０との間の中心間距離Ｌ２ｓｇよりも小さい場合、距離Ｌ１ｓｓを距離Ｌ１ｓｇよりも小さくしやすい。このため、クロストークをより低減しやすい。
【００５４】
図２〜図５に示す断面において、グランド線１１０の断面積が信号線１２０の断面積よりも小さい場合、距離Ｌ１ｓｓを距離Ｌ１ｓｇよりも小さくしやすい。このため、クロストークをより低減しやすい。
【００５５】
本開示において、グランド線及び信号線は、平角導体又は丸型導体に限定されない。例えば、グランド線及び信号線の長手方向に垂直な断面の形状が楕円であってもよく、他の多角形等であってもよい。なお、グランド線、信号線の中心は、シールドフラットケーブルの長手方向に垂直な断面と第１面との交線に沿う方向（図２〜図５ではＹ軸方向）で、当該グランド線、信号線内の最も離れた２点の間の中心である。
【００５６】
第３、第４実施形態において、第２実施形態のように、距離Ｌ２ｓｓと距離Ｌ２ｓｇとが互いに等しくてもよい。
【００５７】
シールドフラットケーブルに含まれるグランド線及び信号線の数は限定されない。例えば、２つの信号線対の間に２本のグランド線が配置されていてもよい。
【００５８】
以上、実施形態について詳述したが、特定の実施形態に限定されるものではなく、特許請求の範囲に記載された範囲内において、種々の変形及び変更が可能である。
【符号の説明】
【００５９】
１００：シールドフラットケーブル
１０１：第１面
１１０：グランド線
１１１：第１グランド線
１１１Ａ、１１１Ｂ：側面
１１２：第２グランド線
１１２Ａ、１１２Ｂ：側面
１１３：第３グランド線
１１３Ａ、１１３Ｂ：側面
１２０：信号線
１２１：第１信号線
１２１Ａ、１２１Ｂ：側面
１２２：第２信号線
１２２Ａ、１２２Ｂ：側面
１２３：第３信号線
１２３Ａ、１２３Ｂ：側面
１２４：第４信号線
１２４Ａ、１２４Ｂ：側面
１２６：第１信号線対
１２７：第２信号線対
１３０：絶縁層
１３１：第１絶縁層
１３１Ａ：第２面
１３２：第２絶縁層
１３２Ａ：第２面
１４０：シールド層
１４１：第１シールド層
１４２：第２シールド層
２００：シールドフラットケーブル
３００：シールドフラットケーブル
３１０：グランド線
３１１：第１グランド線
３１２：第２グランド線
３１３：第３グランド線
３２０：信号線
３２１：第１信号線
３２２：第２信号線
３２３：第３信号線
３２４：第４信号線
３２６：第１信号線対
３２７：第２信号線対
４００：シールドフラットケーブル
Ｄｇ、Ｄｓ：直径
Ｌ１ｓｇ、Ｌ１ｓｓ、Ｌ２ｓｇ、Ｌ２ｓｓ：距離
Ｗｇ、Ｗｓ：幅
【要約】
シールドフラットケーブルは、第１面に配置された複数のグランド線と、前記複数のグランド線の間に設けられるとともに、前記第１面に配置された一対の信号線と、前記複数のグランド線及び前記一対の信号線を覆う絶縁層と、前記絶縁層を覆うシールド層と、を有し、長手方向に垂直な断面において、前記複数のグランド線は、前記一対の信号線のうちの一方の信号線と隣り合うグランド線を含み、前記一対の信号線の間の最短距離が、前記隣り合うグランド線と前記一方の信号線との間の最短距離よりも小さい。【図１】
0006954513.tif 000002
【図２】
0006954513.tif 000003
【図３】
0006954513.tif 000004
【図４】
0006954513.tif 000005
【図５】
0006954513.tif 000006